(57)【要約】【課題】ダイバーシチ利得を得つつ、使用時の消費電流を削減し、かつ、受信品質を安定したＣＤＭＡ方式の移動通信端末装置を提供すること。【解決手段】移動通信端末装置１００は、アンテナ１１０と、受信信号処理部１３０と、レイク合成部１４０とを有する第一の受信系と、アンテナ１１２と、受信信号処理部１３２と、レイク合成部１４２とを有する第二の受信系とを有する。第一の受信系および第二の受信系のいずれか一方または両方の受信品質が良い場合には、受信制御部１９０は、所定の基準に従い決定されたいずれか一方の受信系に対応する受信信号処理部（１３０または１３２）の動作を停止する。【選択図】図１
2007129630.tif 000002
【特許請求の範囲】
【請求項１】
送信および受信に共用する第一のアンテナを通じて受信した無線周波信号を第一のベースバンド信号に変換する第一の受信信号処理手段と、
受信専用に用いる第二のアンテナを通じて受信した無線周波信号を第二のベースバンド信号に変換する第二の受信信号処理手段と、
前記第一のベースバンド信号に含まれるマルチパス信号をレイク合成する第一のレイク合成手段と、
前記第二のベースバンド信号に含まれるマルチパス信号をレイク合成する第二のレイク合成手段と、
前記第一のレイク合成手段の出力信号の受信品質を測定する第一の受信品質測定手段と、
前記第二のレイク合成手段の出力信号の受信品質を測定する第二の受信品質測定手段と、
前記第一の受信品質測定手段によって測定された前記第一のレイク合成手段の出力信号の受信品質が所定の第一の受信品質閾値以上であるかどうかを判定する第一の受信品質判定手段と、
前記第二の受信品質測定手段によって測定された前記第二のレイク合成手段の出力信号の受信品質が所定の第二の受信品質閾値以上であるかどうかを判定する第二の受信品質判定手段と、
前記第一の受信品質判定手段の判定結果および前記第二の受信品質判定手段の判定結果に基づいて、前記第一のレイク合成手段の出力信号および前記第二のレイク合成手段の出力信号のうち少なくともいずれか一方の出力信号の受信品質が対応する受信品質閾値以上であると判定された場合、所定の基準に従い決定されたいずれか一方の受信系に対応する受信信号処理手段の動作を停止させる受信制御手段と、
を有する移動通信端末装置。
【請求項２】
前記受信制御手段は、
通信開始後すぐに、または前記第一の受信信号処理手段の動作を再開させた後に、前記第一の受信品質判定手段が、入力した信号の受信品質が所定の受信品質閾値以上であると判定している間、前記第二の受信信号処理手段の動作を停止させ、
前記第二の受信信号処理手段の動作を停止させた後に、前記第一の受信品質判定手段が、入力した信号の受信品質が所定の受信品質閾値未満であると判定したときに、前記第二の受信信号処理手段の動作を再開させ、
前記第二の受信信号処理手段の動作を再開させた後に、前記第二の受信品質判定手段が、入力した信号の受信品質が所定の受信品質閾値以上であると判定している間、前記第一の受信信号処理手段の動作を停止させ、
前記第一の受信信号処理手段の動作を停止させた後に、前記第二の受信品質判定手段が、入力した信号の受信品質が所定の受信品質閾値未満であると判定したときに、前記第一の受信信号処理手段の動作を再開させる、
請求項１記載の移動通信端末装置。
【請求項３】
前記受信制御手段は、
ＨＳＤＰＡ通信を行うことを示す信号を入力した場合、前記第一の受信信号処理手段および前記第二の受信信号処理手段を共に動作させる、
請求項１記載の移動通信端末装置。
【請求項４】
複数のアンテナを有し、
前記複数のアンテナと前記第一の受信信号処理手段および前記第二の受信信号処理手段との接続を選択的に切り替えるアンテナ切替手段と、
前記複数のアンテナのうち前記第一のアンテナとして用いられていない各アンテナに対するアンテナ切替用のパラメータを測定する切替パラメータ測定手段と、
前記切替パラメータ測定手段によって測定されたパラメータのうち最適値のパラメータに対応するアンテナを選択し、選択したアンテナが前記第二のアンテナとなるよう、前記アンテナ切替手段を制御するアンテナ選択手段と、
をさらに有する、請求項１または請求項２記載の移動通信端末装置。
【発明の詳細な説明】
【技術分野】
【０００１】
本発明は、受信合成ダイバーシチを行うＣＤＭＡ（Code Division Multiple Access）方式の移動通信システムに用いられる移動通信端末装置に関する。
【背景技術】
【０００２】
従来、受信合成ダイバーシチを行うＣＤＭＡ方式の移動通信システムに用いられる移動通信端末装置としては、特許文献１に記載されているものがある。
【０００３】
図６は、特許文献１に記載された、従来の無線機制御方法を用いる移動通信端末装置の構成を示す回路ブロック図である。
【０００４】
特許文献１の移動通信端末装置は、外部アンテナ１、共用器（ＤＵＰ）３、第一のダイバーシチブランチ（ＢＲ１）６、および第一のレイク受信機（ＲＡＫＥ１）８からなる第一の受信系と、内蔵アンテナ２、バンドパスフィルタ（ＢＰＦ）５、第二のダイバーシチブランチ（ＢＲ２）７、および第二のレイク受信機（ＲＡＫＥ２）９からなる第二の受信系とを有している。この二つの受信系によるダイバーシチ受信において、シンボル合成回路（ＣＯＭＢ）１０の合成出力が所定の受信品質であるときには、信号品質判定回路（ＱＬＴＹ）１１は、第二のダイバーシチブランチ７および第二のレイク受信機９の動作を停止させる。このため、移動通信端末装置は、第一の受信系のみで受信を行うようになる。その後、第一の受信系のみでは所定の受信品質を得られなくなったときは、信号品質判定回路１１は、第二のダイバーシチブランチ７と第二のレイク受信機９の動作を再開させ、二つの受信系でダイバーシチ受信を行うようにする。
【０００５】
上記の構成にすることによって、特許文献１の移動通信端末装置は、所望のダイバーシチ利得を得つつ、使用時の消費電流を削減することができる。
【特許文献１】特開２０００−２５２８９６号公報
【発明の開示】
【発明が解決しようとする課題】
【０００６】
しかしながら、特許文献１の移動通信端末装置では、第一の受信ダイバーシチブランチ６の受信品質が第二のダイバーシチブランチ７の受信品質より著しく劣化している場合、受信品質が安定しないという問題がある。
【０００７】
すなわち、上記条件下では、第二のダイバーシチブランチ７が動作しているときは、合成出力の受信品質が所定の受信品質を上回るため、信号品質判定回路１１は第二のダイバーシチブランチ７の動作を停止させる。しかし、第二のダイバーシチブランチ７の動作を停止させてしまうと、合成出力の受信品質が所定の受信品質を下回ってしまうため、信号品質判定回路１１はすぐに第二のダイバーシチブランチ７の動作を再開させる。このように、上記条件下では、第二のダイバーシチブランチ７の動作の停止および再開が繰り返されてしまうため、受信品質が安定しない。
【０００８】
本発明は、かかる点に鑑みてなされたものであり、ダイバーシチ利得を得つつ、使用時の消費電流を削減し、かつ、受信品質が安定したＣＤＭＡ（Code Division Multiple Access）方式の移動通信端末装置を提供することを目的とする。
【課題を解決するための手段】
【０００９】
本発明のＣＤＭＡ方式の移動通信端末装置は、送信および受信に共用する第一のアンテナを通じて受信した無線周波信号を第一のベースバンド信号に変換する第一の受信信号処理手段と、受信専用に用いる第二のアンテナを通じて受信した無線周波信号を第二のベースバンド信号に変換する第二の受信信号処理手段と、前記第一のベースバンド信号に含まれるマルチパス信号をレイク合成する第一のレイク合成手段と、前記第二のベースバンド信号に含まれるマルチパス信号をレイク合成する第二のレイク合成手段と、前記第一のレイク合成手段の出力信号の受信品質を測定する第一の受信品質測定手段と、前記第二のレイク合成手段の出力信号の受信品質を測定する第二の受信品質測定手段と、前記第一の受信品質測定手段によって測定された前記第一のレイク合成手段の出力信号の受信品質が所定の第一の受信品質閾値以上であるかどうかを判定する第一の受信品質判定手段と、前記第二の受信品質測定手段によって測定された前記第二のレイク合成手段の出力信号の受信品質が所定の第二の受信品質閾値以上であるかどうかを判定する第二の受信品質判定手段と、前記第一の受信品質判定手段の判定結果および前記第二の受信品質判定手段の判定結果に基づいて、前記第一のレイク合成手段の出力信号および前記第二のレイク合成手段の出力信号のうち少なくともいずれか一方の出力信号の受信品質が対応する受信品質閾値以上であると判定された場合、所定の基準に従い決定されたいずれか一方の受信系に対応する受信信号処理手段の動作を停止させる受信制御手段と、を有する構成を採る。
【発明の効果】
【００１０】
本発明によれば、ダイバーシチ利得を得つつ、使用時の消費電流を削減し、かつ、受信品質を安定させることができる。
【発明を実施するための最良の形態】
【００１１】
以下、本発明の実施の形態について、図面を参照して詳細に説明する。
【００１２】
（実施の形態１）
図１は、本発明の実施の形態１の移動通信端末装置のダイバーシチ受信機の構成を示すブロック図である。
【００１３】
移動通信端末装置１００は、第一のアンテナ１１０と、第二のアンテナ１１２と、アンテナ共用器１２０と、送信回路１２４と、バンドパスフィルタ１２２と、第一の受信信号処理部１３０と、第二の受信信号処理部１３２と、第一のレイク合成部１４０と、第二のレイク合成部１４２と、ダイバーシチ合成部１５０と、第一の受信品質測定部１６０と、第二の受信品質測定部１６２と、第一の受信品質判定部１７０と、第二の受信品質判定部１７２と、受信制御部１９０と、記憶部１８０とを有する。
【００１４】
第一のアンテナ１１０は、送信回路１２４からアンテナ共用器１２０を通じて入力された送信無線周波信号を空間に放射し、また、受信した受信無線周波信号をアンテナ共用器１２０を通じて第一の受信信号処理部１３０に出力する。
【００１５】
第二のアンテナ１１２は、受信した受信無線周波信号をバンドパスフィルタ１２２を通じて第二の受信信号処理部１３２に出力する。
【００１６】
アンテナ共用器１２０は、送信系および受信系で第一のアンテナ１１０を共用できるようにする。
【００１７】
バンドパスフィルタ１２２は、所定の周波数範囲の信号だけを通過させ、それ以外の周波数の信号を減衰させる。
【００１８】
送信回路１２４は、送信信号を生成し、出力する。
【００１９】
第一の受信信号処理部１３０は、第一のアンテナ１１０を通じて受信した無線周波信号を第一のベースバンド信号に変換する。第一のベースバンド信号は、第一のレイク合成部１４０へ出力される。
【００２０】
第二の受信信号処理部１３２は、第二のアンテナ１１２を通じて受信した無線周波信号を第二のベースバンド信号に変換する。第二のベースバンド信号は、第二のレイク合成部１４２へ出力される。
【００２１】
第一のレイク合成部１４０は、第一のベースバンド信号に含まれるマルチパス信号に対してレイク合成を行う。レイク合成された信号は、ダイバーシチ合成部１５０および第一の受信品質測定部１６０に出力される。
【００２２】
第二のレイク合成部１４２は、第二のベースバンド信号に含まれるマルチパス信号に対してレイク合成を行う。レイク合成された信号は、ダイバーシチ合成部１５０および第二の受信品質測定部１６２に出力される。
【００２３】
ダイバーシチ合成部１５０は、第一のレイク合成部１４０および第二のレイク合成部１４２にてレイク合成されたそれぞれの信号をダイバーシチ合成する。合成された出力信号は、図示しない後段の誤り訂正回路に入力される。
【００２４】
第一の受信品質測定部１６０は、第一のレイク合成部１４０からの出力信号の受信品質を測定する。測定結果は第一の受信品質判定部１７０に出力される。
【００２５】
第二の受信品質測定部１６２は、第二のレイク合成部１４２からの出力信号の受信品質を測定する。測定結果は第二の受信品質判定部１７２に出力される。
【００２６】
第一の受信品質判定部１７０は、第一の受信品質測定部１６０による受信品質の測定結果が受信品質閾値を上回っているかどうかを判定する。判定結果は受信制御部１９０に出力される。
【００２７】
第二の受信品質判定部１７２は、第二の受信品質測定部１６２による受信品質の測定結果が受信品質閾値を上回っているかどうかを判定する。判定結果は受信制御部１９０に出力される。
【００２８】
受信制御部１９０は、第一の受信品質判定部１７０および第二の受信品質判定部１７２の判定結果に基づいて、第一の受信信号処理部１３０および第二の受信信号処理部１３２の動作を停止または再開させる。
【００２９】
記憶部１８０は、所定の受信品質閾値を格納する。ここで設定される受信品質閾値は、サービスが要求する最低品質レベルから十分余裕を持ち、かつヒステリシスを持たせることが望ましい。これは、２つのレイク合成部１４０、１４２からの出力信号のいずれかの受信品質が受信品質閾値を上回っている場合、２系統の受信部によって行われていた受信動作が１系統の受信部に移行するので、Ｓ／Ｎ比の若干の低下が見込まれるためである。
【００３０】
図２は、本発明の実施の形態１の移動通信端末装置のダイバーシチ受信機の動作を示すフローチャートである。
【００３１】
まず、ステップＳ１０００では、受信制御部１９０が、第一の受信信号処理部（ＢＲ１）１３０および第二の受信信号処理部（ＢＲ２）１３２が共に動作するように指示し、２系統の受信部によって受信動作を行わせる。
【００３２】
そして、ステップＳ１１００では、第一の受信品質判定部１７０が、第一の受信品質測定部１６０によって測定された第一のレイク合成部１４０からの出力信号の受信品質が、記憶部１８０に格納された受信品質閾値を上回っているかどうかを判定する。第一のレイク合成部１４０からの出力信号の受信品質が受信品質閾値を上回っている場合（Ｓ１１００：ＹＥＳ）、ステップＳ１２００へ進む。一方、第一のレイク合成部１４０からの出力信号の受信品質が受信品質閾値を上回っていない場合（Ｓ１１００：ＮＯ）、ステップＳ１６００へ進む。
【００３３】
ステップＳ１２００では、第一のレイク合成部１４０からの出力信号の受信品質が良好であるので、受信制御部１９０が、第二の受信信号処理部１３２を停止させる。すなわち、第一の受信信号処理部１３０のみで受信動作を行わせる。
【００３４】
そして、ステップＳ１３００では、第一の受信品質判定部１７０が、第一の受信品質測定部１６０によって測定された第一のレイク合成部１４０からの出力信号の受信品質が、記憶部１８０に格納された受信品質閾値を上回っているかどうかを判定する。この判定動作は、ステップＳ１２００で第二の受信信号処理部１３２を停止させた後、常時行うが、必ずしも連続している必要はない。第一のレイク合成部１４０からの出力信号の受信品質が受信品質閾値を上回っている場合（Ｓ１３００：ＹＥＳ）、ステップＳ１４００へ進む。一方、第一のレイク合成部１４０からの出力信号の受信品質が受信品質閾値を下回った場合（Ｓ１３００：ＮＯ）、ステップＳ１５００へ進む。
【００３５】
ステップＳ１４００では、通信が終了したかどうかを判定する。通信が続いている間（Ｓ１４００：ＮＯ）はステップＳ１３００へ進む。すなわち、第一のレイク合成部１４０からの出力信号の受信品質が受信品質閾値を上回っており、かつ、通信が続いている間は、実質的にはステップＳ１３００で留まることになる。一方、通信が終了したとき（Ｓ１４００：ＹＥＳ）は、動作を終了する。
【００３６】
ステップＳ１５００では、第一のレイク合成部１４０からの出力信号の受信品質が受信品質閾値を下回っているので、受信制御部１９０が、第二の受信信号処理部１３２の動作を再開させる。すなわち、第一の受信信号処理部１３０および第二の受信信号処理部１３２を共に動作させ、２つの受信系によって受信動作を行わせる。
【００３７】
ステップＳ１６００では、第二の受信品質判定部１７２が、第二の受信品質測定部１６２によって測定された第二のレイク合成部１４２からの出力信号の受信品質が、記憶部１８０に格納された受信品質閾値を上回っているかどうかを判定する。第二のレイク合成部１４２からの出力信号の受信品質が受信品質閾値を上回っている場合（Ｓ１６００：ＹＥＳ）、ステップＳ１７００へ進む。一方、第二のレイク合成部１４２からの出力信号の受信品質が受信品質閾値を上回っていない場合（Ｓ１６００：ＮＯ）、ステップＳ２１００へ進む。
【００３８】
ステップＳ１７００では、第二のレイク合成部１４２からの出力信号の受信品質が良好であるので、受信制御部１９０が、第一の受信信号処理部１３０を停止させる。すなわち、第二の受信信号処理部１３２のみで受信動作を行わせる。
【００３９】
そして、ステップＳ１８００では、第二の受信品質判定部１７２が、第二の受信品質測定部１６２によって測定された第二のレイク合成部１４２からの出力信号の受信品質が、記憶部１８０に格納された受信品質閾値を上回っているかどうかを判定する。この判定動作は、ステップＳ１７００で第一の受信信号処理部１３０を停止させた後、常時行うが、必ずしも連続している必要はない。第二のレイク合成部１４２からの出力信号の受信品質が受信品質閾値を上回っている場合（Ｓ１８００：ＹＥＳ）、ステップＳ１９００へ進む。一方、第二のレイク合成部１４２からの出力信号の受信品質が受信品質閾値を下回った場合（Ｓ１８００：ＮＯ）、ステップＳ２０００へ進む。
【００４０】
ステップＳ１９００では、通信が終了したかどうかを判定する。通信が続いている間（Ｓ１９００：ＮＯ）はステップＳ１８００へ進む。すなわち、第二のレイク合成部１４２からの出力信号の受信品質が受信品質閾値を上回っており、かつ、通信が続いている間は、実質的にはステップＳ１８００で留まることになる。一方、通信が終了したとき（Ｓ１９００：ＹＥＳ）は、動作を終了する。
【００４１】
ステップＳ２０００では、第二のレイク合成部１４２からの出力信号の受信品質が受信品質閾値を下回っているので、受信制御部１９０が、第一の受信信号処理部１３０の動作を再開させる。すなわち、第一の受信信号処理部１３０および第二の受信信号処理部１３２を共に動作させ、２系統の受信部によって受信動作を行わせる。
【００４２】
ステップＳ２１００では、通信が終了したかどうかを判定する。通信が続いている間（Ｓ２１００：ＮＯ）はステップＳ１１００へ進む。すなわち、通信が続いている間は、上記ステップＳ１１００〜ステップＳ２０００を繰り返す。一方、通信が終了したとき（Ｓ２１００：ＹＥＳ）は、動作を終了する。
【００４３】
なお、上記の説明では、受信制御部１９０は、第一の受信品質判定部１７０の判定結果に基づいて制御するところから動作を始めているが、もちろん、第二の受信品質判定部１７２の判定結果に基づいて制御するところから動作を始めても良い。
【００４４】
また、上記の説明では、記憶部１８０に格納されている受信品質閾値は特に区別しなかったが、第一の受信品質判定部１７０と第二の受信品質判定部１７２とで異なる受信品質閾値を用いるようにしても良い。この場合、記憶部１８０には、複数の受信品質閾値が格納される。
【００４５】
また、上記の説明では、閾値を上回ることまたは下回ることを判定基準としたが、判定基準は、閾値を含むように、つまり、閾値以上または閾値以下にしてもよい。
【００４６】
以上のように制御することにより、本実施の形態に係る移動通信端末装置１００は、常に最適な受信信号処理部１３０、１３２を用いることができるようになる。また、第一のレイク合成部１４０を経由して出力された信号の受信品質が、第二のレイク合成部１４２を経由して出力された信号の受信品質より著しく劣化している場合でも、本発明に係る移動通信端末装置１００では受信品質が安定する。さらに、２つの受信信号処理部１３０、１３２が同時に動作する時間を極力低下させるので、本発明に係る移動通信端末装置１００は、消費電力を従来のものに比べて削減させることができる。
【００４７】
（実施の形態２）
図３は、本発明の実施の形態２の移動通信端末装置のダイバーシチ受信機の構成を示すブロック図である。
【００４８】
実施の形態２の移動通信端末装置２００は、実施の形態１の移動通信端末装置とほぼ同様の構成を採るが、ＨＳＤＰＡ（High Speed Downlink Packet Access）通信を行う場合に、受信制御部２１０は受信品質に関係なく第二の受信信号処理部１３２を動作させる点が異なる。すなわち、受信制御部２１０は、ＨＳＤＰＡ通信を行うことを示す通信モード制御信号によってＨＳＤＰＡ通信を行うことを伝えられると、それ以降ＨＳＤＰＡ通信を行っている間は受信品質に関係なく常に第二の受信信号処理部１３２を動作させる。なお、ＨＳＤＰＡ通信を行わない場合、つまり、通常の通信を行う場合は、実施の形態１と同様の動作を行う。
【００４９】
以上のように構成された移動体通信端末は、高い受信品質が必要とされる高速データ通信であるＨＳＤＰＡ通信の場合は、常に第二の受信信号処理部１３２を動作させることにより、本発明の実施の形態１の効果に加え、さらにＨＳＤＰＡ通信を確実に行うことができる。
【００５０】
なお、上記の効果は、通信方法に応じて、受信品質閾値の値を変更することでも得られる。例えば、ＨＳＤＰＡ通信の場合は、受信品質閾値を通常の通信の場合よりも高く設定すれば良い。
【００５１】
（実施の形態３）
図４は、本発明の実施の形態３の移動通信端末装置のダイバーシチ受信機の構成を示すブロック図である。
【００５２】
実施の形態３の移動通信端末装置３００は、実施の形態１または実施の形態２の第一のアンテナ１１０および第二のアンテナ１１２の代わりに、複数本のアンテナ３１０、３１２、３１４、３１６（ここでは例として４本とする）と、アンテナ選択部３２０とを有している。その他の構成要素は実施の形態１または実施の形態２の移動通信端末装置の構成要素と同じであるので、ここでは説明しない（図１参照）。
【００５３】
複数本のアンテナ３１０、３１２、３１４、３１６は、アンテナ選択部３２０によってそのうちの１本がアンテナ共用器１２０と接続され、残ったうちの１本がバンドパスフィルタ１２２と接続される。
【００５４】
アンテナ共用器１２０と接続されたアンテナは、送信回路１２４からアンテナ共用器１２０を通じて入力された送信無線周波信号を空間に放射し、また、受信した受信無線周波信号をアンテナ共用器１２０を通じて第一の受信信号処理部１３０に出力する。すなわち、第一のアンテナとして動作をする。
【００５５】
バンドパスフィルタと接続されたアンテナは、受信した受信無線周波信号をバンドパスフィルタ１２２を通じて第二の受信信号処理部１３２に出力する。すなわち、第二のアンテナとして動作する。
【００５６】
アンテナ選択部３２０は、複数本のアンテナを選択的に切り替え、その中から特定のアンテナを選択する。具体的には、複数本のアンテナ３１０、３１２、３１４、３１６のうち、１本をアンテナ共用器１２０と接続し、残ったうちの１本をバンドパスフィルタ１２２と接続する。このとき、バンドパスフィルタ１２２と接続するアンテナは、アンテナ共用器１２０に接続されなかった残りの全てのアンテナのうちから所定の基準に基づいて選ばれる。
【００５７】
図５は、本発明の実施の形態３の移動通信端末装置のダイバーシチ受信機の動作を示すフローチャートである。
【００５８】
実施の形態３の移動通信端末装置のダイバーシチ受信機の動作は、通信が始める前のアンテナ選択に特徴があり、通信が始まった後の動作（ステップＳ３５００）は、実施の形態１と同じであるのでここでは詳細には説明しない（図２参照）。また、アンテナ選択部３２０は、アンテナ共用器１２０と接続するアンテナとしてすでに１本のアンテナを選択したものとし、バンドパスフィルタ１２２と接続するアンテナを、残りのアンテナから受信品質に基づいて選択する場合について説明する。
【００５９】
まず、ステップＳ３０００では、受信制御部３３０が、第二の受信信号処理部１３２の電源を入れ、動作できるようにする。
【００６０】
そして、ステップＳ３１００では、アンテナ選択部３２０が、アンテナ共用器１２０に接続されていない複数のアンテナのうちから、受信品質を測定されていない１本のアンテナを選択する。
【００６１】
そして、ステップＳ３２００では、第二の受信品質測定部１６２が、ステップＳ３１００で選択したアンテナを通じて受信した受信信号の受信品質を測定する。測定した結果は、受信制御部を通じてアンテナ選択部３２０へ渡される。
【００６２】
そして、ステップＳ３３００では、アンテナ選択部３２０が、アンテナ共用器１２０に接続されていない複数のアンテナすべてについて受信品質の測定を終了したかどうかを判断する。アンテナ共用器１２０に接続されていない複数のアンテナについて、すべてのアンテナの受信品質の測定を終了した場合は（Ｓ３３００：ＹＥＳ）、ステップＳ３４００へ進む。一方、まだ受信品質を測定していないアンテナがある場合は（Ｓ３３００：ＮＯ）、ステップ３１００へ進む。すなわち、アンテナ選択部３２０および第二の受信品質測定部１６２が、アンテナ共用器１２０にされていないアンテナすべてについて受信品質を測定するまで、ステップＳ３１００〜ステップＳ３３００を繰り返す。
【００６３】
ステップＳ３４００では、アンテナ選択部３２０が、ステップＳ３２００で測定したすべてのアンテナの受信品質を比較し、最も受信品質が良かったアンテナを選択する。選択されたアンテナはバンドパスフィルタに接続され、以後の通信で第二のアンテナとして用いられる。
【００６４】
そして、ステップＳ３５００では、選択されたアンテナを用いて通信を開始する。
【００６５】
以上のように、複数本のアンテナの中から受信品質が良好なアンテナを選択し、それを用いて通信をすることによって、実施の形態１および実施の形態２の移動通信端末装置に比べて受信品質が良好になる。これにより、受信信号処理部の動作を停止する期間が長くなるので、消費電力をより削減することができる。
【００６６】
なお、上記の説明では、バンドパスフィルタに接続するアンテナを選択する場合について説明したが、第一のアンテナについても、同様の方法を用いて受信品質が良好なものを選択することができる。
【００６７】
また、上記の説明では、アンテナの選択パラメータとして受信品質を用いたが、受信信号強度を表すＲＳＳＩ（Received Signal Strength Indicator）などを用いても同様の効果が得られる。また、実施の形態１と同様に、送信電力制御信号の閾値を複数設ける場合や、スイッチ構成がＳＰ３Ｔ−ＳＷ（Single-Pole Triple-Throw Switch）やＤＰＤＴ−ＳＷ（Double-Pole Double-Throw Switch）などの場合でも同様の効果が得られる。
【００６８】
また、本実施の形態ではアンテナが４本の場合を例として説明したが、アンテナの数はこれに限定されない。アンテナは２本以上あれば、同様の効果が得られる。
【産業上の利用可能性】
【００６９】
本発明に係る移動通信端末装置は、受信品質および通信方式により受信信号処理部を柔軟に制御することにより安定し、かつ低消費電力化が可能になるという効果を有し、ＣＤＭＡ方式の移動体通信方式に用いられる移動通信端末装置の受信ダイバーシチ合成および受信制御方法として有用である。
【図面の簡単な説明】
【００７０】
【図１】本発明に係る移動通信端末装置の実施の形態１の構成を示すブロック図
【図２】本発明に係る移動通信端末装置の実施の形態１の動作を示すフローチャート
【図３】本発明に係る移動通信端末装置の実施の形態２の構成を示すブロック図
【図４】本発明に係る移動通信端末装置の実施の形態３の構成を示すブロック図
【図５】本発明に係る移動通信端末装置の実施の形態３の動作を示すフローチャート
【図６】従来の移動通信端末装置の構成を示すブロック図
【符号の説明】
【００７１】
１  外部アンテナ
２  内蔵アンテナ
３  共用器（ＤＵＰ）
４  送信機（ＴＸ）
５  バンドパスフィルタ（ＢＰＦ）
６  第一のダイバーシチブランチ（ＢＲ１）
７  第二のダイバーシチブランチ（ＢＲ２）
８  第一のレイク受信機（ＲＡＫＥ１）
９  第二のレイク受信機（ＲＡＫＥ２）
１０  シンボル合成回路（ＣＯＭＢ）
１１  信号品質判定回路（ＱＬＴＹ）
１２  切替スイッチ
１００、２００、３００  移動通信端末装置
１１０  第一のアンテナ
１１２  第二のアンテナ
１２０  アンテナ共用器
１２２  バンドパスフィルタ
１２４  送信回路
１３０  第一の受信信号処理部
１３２  第二の受信信号処理部
１４０  第一のレイク合成部
１４２  第二のレイク合成部
１５０  ダイバーシチ合成部
１６０  第一の受信品質測定部
１６２  第二の受信品質測定部
１７０  第一の受信品質判定部
１７２  第二の受信品質判定部
１８０  記憶部
１９０、２１０、３３０  受信制御部
３１０、３１２、３１４、３１６  アンテナ
３２０  アンテナ選択部
【図１】
2007129630.tif 000003
【図２】
2007129630.tif 000004
【図３】
2007129630.tif 000005
【図４】
2007129630.tif 000006
【図５】
2007129630.tif 000007
【図６】
2007129630.tif 000008